(57)【特許請求の範囲】
【請求項１】
映像発生源に表示された原画像を拡大投射するための、複数のレンズエレメントを含むプロジェクションテレビ用の投射用レンズにおいて、
前記レンズエレメントのうち、映像発生源に最も近い位置に配置された凹レンズエレメントのレンズ面に反射防止膜が形成されており、
該反射防止膜は、互いに異なる屈折率を有する第１層及び第２層を含み、前記第１層は、SiOを用いて構成され、前記第２層はMgF2を用いて構成されており、
かつ前記反射防止膜は、前記凹レンズエレメントに入射する光線のうち、１０度〜２０度の角度範囲で入射される光線に対して１．０％以下の反射率を持ち、
かつ前記反射防止膜の膜厚を、前記レンズエレメントに前記角度範囲で入射する光線の主波長をλ(ｎｍ)としたとき、(λ＋２５)／４〜(λ＋４０)／４(ｎｍ)の範囲内とすることにより、当該角度範囲で入射する光線の波長に対して反射防止効果が最大となるように構成したことを特徴とする投射用レンズ。
【請求項２】
赤、青及び緑の映像発生源に表示された原画像をスクリーン上に拡大投射するための複数のレンズエレメントを含む投射用レンズを備えたプロジェクションテレビにおいて、
前記投射レンズの前記レンズエレメントのうち、映像発生源に最も近い位置に配置された凹レンズエレメントのレンズ面に反射防止膜が形成されており、
該反射防止膜は、互いに異なる屈折率を有する第１層及び第２層を含み、前記第１層は、SiOを用いて構成され、前記第２層はMgF2を用いて構成されており、
かつ前記反射防止膜は、前記凹レンズエレメントに入射する光線のうち、１０度〜２０度の角度範囲で入射される光線に対して１．０％以下の反射率を持ち、
かつ前記反射防止膜の膜厚を、前記レンズエレメントに前記角度範囲で入射する光線の主波長をλ(ｎｍ)としたとき、(λ＋２５)／４〜(λ＋４０)／４(ｎｍ)の範囲内とすることにより、当該角度範囲で入射する光線の波長に対して反射防止効果が最大となるように構成したことを特徴とするプロジェクションテレビ。
【発明の詳細な説明】
【０００１】
【発明の属する技術分野】
本発明は、例えばプロジェクションテレビ用投写レンズに配されたレンズエレメントの多層反射防止膜に関し、特に２層構成の反射防止膜において反射を抑え、プロジェクションテレビのコントラスト性能向上に係わるものである。また、投写レンズに限らず、光線の進行方向に拡大入射を受けるレンズ（平面的なものを含む）に配されるレンズエレメントの多層反射防止膜、多層反射膜を有するレンズ及び、多層反射膜を有するレンズを利用する光学機器、光学部品等に関するものである。
【０００２】
【従来の技術】
赤、緑及び青の投射陰極線管等の映像発生源に表示された原画像をスクリーンに拡大投影するプロジェクションテレビにおける投射用レンズのレンズエレメントに施された多層反射防止膜は、従来よりレンズエレメント表面に真空蒸着法によりレンズエレメントに垂直に入射する光線に対して反射防止効果が最大となるように施されている。
【０００３】
さらに反射防止膜の入射角度依存性を最小とするために特開昭６０−３２００１号、特開昭６１−１２１００１号公報に開示されているように３層以上の膜構成とするのが最も一般的な多層反射防止膜である。
【０００４】
また、反射防止膜を２層とするものについては、特開昭６３−１７２２０１号公報に記載があり、前記公報には「密着性、耐熱性、耐湿性を有する２層構成の反射防止膜を提供することを目的」とし、「ガラス及びプラスチック基板側から順に、基板よりも高屈折率物質の第１層として酸化セリウム（CeO2）、基盤よりも低屈折率物質の第２層としてSiOx（１< x <２）を積層したことを特徴とする２層構成の反射防止膜」により、「経時変化がなく、反射防止効果を長時間保持することができる」ことの記載がある。
【０００５】
【発明が解決しようとする課題】
プロジェクションテレビの投写レンズのレンズエレメントに２層以下の構成の反射防止膜を施す場合、従来技術の反射防止膜の膜厚は、レンズエレメントに垂直に入射する光線の反射率を最小となるような膜厚となっている。この従来の投写レンズの反射防止膜によると、反射防止効果は、光線の入射角度に依存することからプロジェクションテレビのように画像表示部上の輝点からの光線が投写レンズに配置されたレンズエレメントに、ある角度範囲で入射するような光学系の場合、レンズエレメントに斜めに入射する光線の反射率が、垂直で入射する光線の反射率より高くなってしまい、光学系全体として反射防止効果を十分に得ることができないという問題が生じる。この問題は上記従来技術によっては解決されていない問題である。
【０００６】
そして反射した光線は、画像表示部に戻り原画像以外を光らせることからコントラストが低下し、その結果、セットでのコントラストが低下してしまうという問題が生じる。
【０００７】
また、反射防止膜の入射角度の依存性を最小にするためには、従来技術では、３層以上の膜構成が必要であり、コストも高く膜の信頼性についても膜層間の温度差が大きくなり温度変化時に膜の収縮、膨張量の違いから割れ、剥離等が生ずる問題がある。
【０００８】
このため、安価で信頼性の高い２層構成の反射防止膜を用いて、レンズエレメントに角度範囲を持った光線が入射するような光学系の場合でも、レンズエレメント全体の反射率を抑え、画像表示部に戻る光線を防ぐことが課題となっている。
【０００９】
本発明の目的は、上記の従来技術による投射レンズのレンズエレメントにおける多層反射防止膜の課題を解決し、角度を持って入射する光線がある場合でもレンズエレメント全体の反射率を抑え、画像表示部に戻る光線を防ぐ２層構成の反射防止膜とこれを用いたプロジェクション用投射レンズを提供し、セットのコントラスト性能の向上を図ることにある。
【００１１】
【課題を解決するための手段】
上記目的を達成するために、本発明では、プロジェクションテレビ用の投射用レンズにおける複数のレンズエレメントのうち、映像発生源に最も近い位置に配置された凹レンズエレメントのレンズ面に反射防止膜が形成し、該反射防止膜は、互いに異なる屈折率を有する第１層及び第２層を含み、前記第１層は、SiO（一酸化ケイ素）を用いて構成され、前記第２層はMgF2（フッ化マグネシウム）を用いて構成されており、かつ前記反射防止膜は、前記凹レンズエレメントに入射する光線のうち、１０度〜２０度の角度範囲で入射される主光線に対して１．０％以下の反射率を持ち、かつ前記反射防止膜の膜厚を、前記レンズエレメントに前記角度範囲で入射する光線の主波長をλ(ｎｍ)としたとき、(λ＋２５)／４〜(λ＋４０)／４(ｎｍ)の範囲内とすることにより、当該角度範囲で入射する光線の波長に対して反射防止効果が最大となるように構成したことを特徴とするものである。
【００２５】
【発明の実施の形態】
以下、本発明の実施例を図を用いて説明する。
【００２６】
図１は、本発明を用いた一実施例の投写光学系を示す断面図である。２は投写管１の蛍光面、３は投写管パネル、５はブラケット、９は凹レンズエレメントであり、投写管パネル３とブラケット５及び凹レンズエレメント９により得られる空間に冷媒４が密封されている。さらに凹レンズエレメント前面にはレンズエレメント１０、１１、１２、１３、１４が内鏡筒の所定の位置に保持された状態で外鏡筒を介して光軸LL'上に配置される。
【００２７】
このような構成において、蛍光面上の光軸ＬＬ'上の輝点Ｐ０からの光線は、レンズエレメント９、１０、１１、１２、１３、１４に上限光RAY1から下限光RAY2の範囲を通過する。
【００２８】
図２は、図１の投射光学系における別の光線経路を示す断面図である。図１と同等の部分には、同じ符号を付し、説明を省略する。
【００２９】
図２のように光軸ＬＬ'以外の蛍光面上の輝点Ｐ３からの光線は、レンズエレメント９、１０、１１、１２、１３、１４にRAY13からRAY14の範囲を通過する。
【００３０】
図１、及び図２の投写光学系の投写レンズにおけるレンズエレメントには、レンズエレメント側から順番に例えば第１層目にSiO、第２層目にMgF2等の２種類の異なる屈折率を有する２層構成の多層反射防止膜を各レンズエレメントに入射する光線範囲における最大入射角度の約１／４の角度で入射する光線の波長に対して反射防止効果が最大となるように各層を（入射光線波長／４）の膜厚で形成する構成となっている。ここで、入射光線波長は、赤、青、緑の各投写管により得られるそれぞれの映像光におけるスペクトル分布のピークエネルギーを示す波長λＲｍａｘ、λＢｍａｘ、λＧｍａｘに対応して決定することができ、それぞれの波長により反射防止膜の膜厚を設定することが可能である。そのレンズエレメントの構成図をレンズエレメント９を例に図１６に図示する。
【００３１】
図１６で、２４はレンズエレメント９の第１層目の反射防止膜、２５は第２層目の反射防止膜、２８は反射防止膜２４の膜厚であり、２９は反射防止膜２５の膜厚である。ここで、膜厚２８、２９はレンズエレメント９に垂直に入射する光線２６に対して最適な膜厚とするのではなく、最大入射角度の約１／４の角度θで入射する光線２７に対して最適な膜厚としている。
【００３２】
このような構成によれば２層構成の反射防止膜においても入射角度依存性を最小にできることからレンズエレメント全面での反射を最小限に抑えることができる。
【００３３】
図１の構成における投写管１の赤、緑、青に対応した蛍光体の発光スペクトル分布について説明する。図７に緑の投写管１における蛍光体の発光スペクトル分布についての特性図を示す。縦軸には相対エネルギー（％）を横軸には波長λ（ｎｍ）をとっている。
【００３４】
図７に示すように緑の蛍光体の発光スペクトルは、５４５ｎｍ近傍でピークエネルギーを示す主波長λＧｍａｘに対して、短波長（青）側の波長領域に存在するスプリアス成分（サブピークλＧＳｍａｘ波長４９５ｎｍ）と長波長（赤）側の波長領域に存在するスプリアス成分（サブピークが５９０ｎｍとλＧＬｍａｘ６３０ｎｍ）により成っている。
【００３５】
図８に赤の投写管１における蛍光体の発光スペクトル分布についての特性図を示す。縦軸には相対エネルギー（％）を、横軸には波長λ（ｎｍ）をとっている。発光スペクトルは、６１２ｎｍ近傍でピークエネルギーを示す主波長成分に対して、短波長（緑）側の波長領域である５８０ｎｍから６００ｎｍ近傍に存在するスプリアス成分（サブピークλＲＳｍａｘ波長５８５ｎｍ）と長波長（真紅）側の波長領域である６３０ｎｍ近傍のスプリアス成分（サブピークλＲＬｍａｘ波長６３５ｎｍ）とによって成立している。
【００３６】
同様に、青色の投写管に使用している蛍光体の発光スペクトル分布は、主波長の４６０ｎｍをピークに山型のブロードな盛り上がりを示す特性となっている。
【００３７】
上記の特性波長を持つ各投写管１から発光される光線において、反射防止膜の効果を最大に得られる光線の波長は、レンズエレメントに垂直に入射する光線に対して、斜めに入射する光線が短波長方向にシフトする。具体的に上記蛍光体の緑の場合を例にすると、主波長（５４５nm）の光線が垂直に入射した時に最適な膜厚（５４５／４nm）で形成した反射防止膜に、ある角度で光線が入射すると反射防止効果が最大になる波長が５４５nmより短波長となり主波長での反射効果が十分得られないことになる。そこで、上述したような例えば第１層目にSiO、第２層目にMgF2等の２種類の異なる屈折率を有する２層構成の多層反射防止膜を用いる場合において、各蛍光体の主波長の光線が斜めに入射した場合において最も反射防止効果を得るために波長のシフト量をあらかじめ考慮して主波長の光線が斜めに入射した時に最適になるようにシフトする分、反射防止膜の各層の膜厚を厚く設定しておく必要がある。
【００３８】
図１の第１の実施の形態における投写光学系においては、各レンズエレメントへの最大入射角度が６０度程度であることから、反射防止膜は、その約１／４の入射角である１５度で入射する光線に対して最適な膜厚とした。ここで、最大入射角度の１／４という数値は、プロジェクションテレビの反射光設計のシミュレーション結果より得られた最適な値であるが、１／４の近傍、または１／４とは近似しない値であっても同等な効果が得られる範囲において本発明の範囲である。第１の実施の形態では最適の場合について説明する。
【００３９】
ここで、１５度で入射した光線の垂直入射に対するシフト量は、実験より短波長方向に約３０nmであることから赤色の蛍光体の場合は、主波長（６１０nm）に対して１５度の入射時のシフト量を考慮して各層の膜厚を６４０／４nmに設定した。すなわち、６４０nmの光線が垂直に入射した場合に反射率が最低になる特性の反射防止膜を形成する。
【００４０】
同様にして緑の蛍光体の場合、主波長（５４５nm）に対して１５度の入射時のシフト量を考慮して各層で５７５／４nmの膜厚に設定した。すなわち、５７５nmの光線が垂直に入射した場合に反射率が最低になる特性の反射防止膜を形成する。
【００４１】
さらに、同様に青の蛍光体の場合、主波長（４５０nm）に対して１５度の入射時のシフト量を考慮して各層で４８０／４nmの膜厚に設定した。すなわち、４８０nmの光線が垂直に入射した場合に反射率が最低になる特性の反射防止膜を形成する。
【００４２】
このような構成の多層反射防止膜によればレンズエレメントでの反射を最低限に抑えることができる。
【００４３】
その効果が最もあらわれる投写管１とそれに最も近いレンズエレメント９との関係を例にとって詳細に説明する。
【００４４】
図３は、前記構成における蛍光面２の中心の輝点Ｐ０からレンズエレメント９に至る光線追跡図をしめす。
【００４５】
図３示すように、蛍光面２の中心の輝度点Ｐ０の光線は、レンズエレメント１９にRAY5からRAY6 の範囲で入射する。RAY1からRAY2の範囲の入射角度の光線は、レンズエレメント１９で反射せずに透過し、RAY1からRAY5並びにRAY2からRAY6の範囲の入射角度の光線は、透過光（RAY3並びにRAY4）と反射光（RAY3‘とRAY4’）を生ずるが、反射光のエネルギーを小さく抑える効果がある。
【００４６】
図４は、前記構成における蛍光面２の中心の輝点以外からレンズエレメント９に至る光線追跡図の第１例をしめす。
【００４７】
図４は、輝点Ｐ２が蛍光面２の中心から対角の距離を１．０とした時、中心から約０．２程度に位置する場合を示している。この時、輝度点Ｐ２の光線は、レンズエレメント１９にRAY11からRAY12の範囲で入射する。この時、RAY7からRAY8の範囲の光線は、レンズエレメント９で反射せずに透過し、RAY7からRAY11並びにRAY8からRAY12の範囲の光線は、透過光（RAY9並びにRAY10）と反射光（RAY９‘とRAY１０’）が生じるが、反射光のエネルギーを小さく抑える効果がある。
【００４８】
図５は、前記構成における蛍光面２の中心の輝点以外からレンズエレメント９に至る光線追跡図の第２例をしめす。
【００４９】
図５は、輝点Ｐ３が蛍光面２の中心から対角の距離を１．０とした時、中心から約０．５程度に位置する場合を示している。この時、輝度点Ｐ３の光線は、レンズエレメント９にRAY16からRAY18の範囲で入射する。この場合のRAY13からRAY14の範囲の光線は、レンズエレメント１で反射せずに透過する。RAY13からRAY17並びにRAY14からRAY18の範囲の光線は、透過光（RAY15並びにRAY16）と反射光（RAY１５‘とRAY１６’）が生じるが、反射光のエネルギーを小さく抑える効果がある。
【００５０】
図６は、前記構成における蛍光面２の中心の輝点以外からレンズエレメント９に至る光線追跡図の第３例をしめす。
【００５１】
図６は、輝点Ｐ４が蛍光面２の中心から対角の距離を１．０とした時、中心から約０．９程度に位置する場合を示している。この時、輝度点Ｐ４の光線は、レンズエレメント９にRAY21からRAY22の範囲で入射する。この場合のRAY13からRAY14の範囲の光線は、レンズエレメント９で反射せずに透過する。RAY13からRAY17並びにRAY14からRAY18の範囲の光線は、透過光（RAY15並びにRAY16）と反射光（RAY１５‘とRAY１６’）が生じるが、反射光のエネルギーを抑える効果がある。
【００５２】
以上の反射防止効果によれば、蛍光面２の上の全輝点でレンズエレメントでの反射光のエネルギーを抑える効果がある。つまり、蛍光面２に戻るエネルギーも減らすことができることから蛍光面２の原画像並びにセットのコントラストについても向上することができる。
【００５３】
尚、第１の実施の形態では、入射角度を１５度とした場合の反射防止膜の最適膜厚について説明したが、レンズエレメントへの最大入射角度の１／４の角度の近傍であれば同等の効果が得られ、また近似していない値でも同等の効果が得られる範囲であれば本願発明の範囲内である。
【００５４】
次に本発明の第２の実施の形態として、反射防止膜のＶコート反射防止膜とＵコート反射防止膜の２種類の反射防止膜にみた場合を以下に説明する。第２の実施の形態においても、レンズエレメントへの光線の最大入射角度を６０度とし、入射角度が１５度である特定波長の光線に対し反射率が最適となる場合について説明する。
【００５５】
図９に赤に対応したＶコート反射防止膜の一実施例の特性について示す。横軸に入射光線の波長(nm)、縦軸に垂直入射の光線に対する反射率（％）を示す。
【００５６】
図９に示したように、シフト前の条件における反射率特性をもつ条件（２）のグラフに対し、シフト後の条件（１）の反射率特性を持つＶコートを形成することで赤の蛍光体において主波長の光線が１５度で入射の場合において最適となり本発明の反射防止膜の効果を得ることができる。
【００５７】
図１０に緑に対応したＶコート反射防止膜の一実施例の特性について示す。
【００５８】
横軸に入射光線の波長(nm)、縦軸に反射率（％）を示す。
【００５９】
図１０に示したように、シフト前の条件における反射率特性をもつ条件（２）のグラフに対し、シフト後の条件（１）の反射率特性を持つＶコートを形成することで緑の蛍光体において主波長の光線が１５度で入射の場合に最適となり本発明の反射防止膜の効果を得ることができる。
【００６０】
図１１に赤に対応したUコート反射防止膜の一実施例の特性について示す。
【００６１】
横軸に入射光線の波長(nm)、縦軸に反射率（％）を示す。
【００６２】
図１１に示したように、シフト前の条件における反射率特性をもつ条件（２）のグラフに対し、シフト後の条件（１）の反射率特性を持つUコートを形成することで赤の蛍光体において主波長の光線が１５度で入射する場合に最適となり本発明の反射防止膜の効果を得ることができる。
【００６３】
図１２に緑に対応したUコート反射防止膜の一実施例の特性について示す。
【００６４】
横軸に入射光線の波長(nm)、縦軸に反射率（％）を示す。
【００６５】
図１２に示したように、シフト前の条件における反射率特性をもつ条件（２）のグラフに対し、シフト後の条件（１）の反射率特性を持つUコートを形成することで緑の蛍光体において最適となり本発明の反射防止膜の効果を得ることができる。
【００６６】
以上の、第１、第２の実施の形態の説明では、最大入射角の１／４の入射角度に対して最適な膜厚とすることについて説明したが、１／４の近傍、または１／４に近似しない範囲においても同等の反射率低減の効果を得ることができる。その詳細を図１７の光線の入射角度と反射率の関係のグラフを用いて説明する。
【００６７】
図１７のグラフ▲１▼は、従来の垂直入射の光線に対して最適膜厚とした反射防止膜（２層）を用いた場合の、入射角度θと反射率の関係図である。それに対し、グラフ▲２▼は、入射角度１５度の光線に対して最適膜厚とした反射防止膜（２層）を用いた場合の、入射角度θと反射率の関係図である。この２つのグラフの比較により、入射角度を考慮した最適膜厚とした反射防止膜を用いた方が、反射防止効果について入射角度の依存性は低くなることがわかる。また、反射防止効果の観点でみると、反射防止膜の最適膜厚の設定条件としては、１／４の場合（θ＝１５）に限らず、１／６〜１／３の範囲（１０<θ<２０）でも同等な効果が得られ、更には、１／１２〜３／８の範囲（５<θ<２２．５）でも上記範囲の場合と近似した反射率の効果をえることができると考えられる。
【００６８】
また、第１、第２の実施の形態では、反射防止膜を最適膜厚にする場合のシフト量を３０nmとして説明したが、シフト量が２５nm 〜４０nm の範囲で同等の反射率低減の効果が得られ、シフト量が２５nm 〜５５nm の範囲でも、同等の効果を得ることができる。更には、１５nm 〜９０nmの範囲であっても３層以上の場合と比較して、近い効果を得ることができる（図１４参照）。
【００６９】
次に、図１３に膜構成数（２層と３層）における緑の光線が入射された場合の反射率特性を示す。横軸に入射光線の波長(nm)、縦軸に反射率（％）を示す。
【００７０】
図１３は、３層で反射防止膜を構成した場合（コート１）と２層で反射防止膜を構成した場合（コート２）の反射率を示したものである。コート１は膜の構成数を増やすことで、波長に対して反射率がフラットになることが分かる。これに対して、本願発明のコート２では、入射角を考慮したシフト後の波長の光線において最適な反射率を奏し、コート１より単純な膜構成でコート１の反射率効果に匹敵する効果を得ることが可能である。
【００７１】
次に、２層の反射防止膜を有するレンズエレメントの反射率で比較すると、垂直入射がされる場合に最適膜厚とした反射防止膜において反射率が１％であったのに対し、以上の第１、第２の実施の形態において説明した入射角度を考慮し、ある蒸着条件のもとでの反射防止膜によれば０．６７％と従来比３３％軽減した。尚、本実験では、上記のような結果を得たが、反射防止膜の蒸着条件を調整することにより、更に０．５％以内の反射率とすることができる。
【００７２】
また、コントラストは、垂直入射の場合に最適膜厚とした場合の２層のレンズエレメントを使用した場合が６９であったのに対して、第１、第２の実施の形態のレンズエレメントを使用すると１０１となり、従来比３０％向上した結果を得た。
【００７３】
ここで、本願発明の入射角度を考慮した２層反射防止膜を有するレンズエレメントを用いたプロジェクションテレビでのコントラストの効果について、緑の場合を例に図１４に示す。図１４では、横軸に膜厚×４(nm)、縦軸にコントラストとする。
【００７４】
図１４では、シフト量を２５nm〜４０nmとした場合に、コントラストが１００を超え、最良なコントラストの映像を得ることが可能であることがわかる。
【００７５】
また、シフト量が２５nm〜５５nmの場合では、コントラストが１００に近く、最適範囲に匹敵する効果を得ることができる。さらにシフト量が１５nm〜９０nmの場合においても、コントラストを９０以上に保つことができる。
【００７６】
評価の方法は、反射防止効果については、反射率を反射率測定器（日立自記分光光度計Ｕ−３２１０）で実測評価した。コントラストについては投射管に評価パターンを写し測定評価をした。
【００７７】
図１５にコントラストの評価パターンをしめす。図１５に示すように蛍光面上に横幅ｗの１／５の帯を白、黒で交互に表示し、中心の白帯の中心ｗ／２５並びに両サイドの黒帯ｗ／２５の輝度を測定し、両者間の輝度比を求めることで評価した。
【００７８】
膜厚の測定方法としては、膜厚測定器にて測定する方法のほか、光線の波長を変化させて光線を入射させたときの透過率を測定することにより、透過率を最適とする膜厚との相関をとることで理論的に算出する等の方法がある。
【００７９】
また、本発明の反射防止膜は、２層構成であることから基材と膜との温度差における膨張、収縮差がほぼ等しいため膜にかかる応力が軽減され、その結果、割れ、剥離等を抑え、信頼性の高い反射防止膜を得ることができる。
【００８０】
尚、上記の実施の形態では本願発明のレンズエレメントをプロジェクションテレビに用いた場合について説明したが、プロジェクションテレビに限らず、本願発明のレンズエレメントを他の光学機器、眼鏡、ゴーグル等に用いても反射防止の点で、同様な効果を得ることができる。
【００８１】
【発明の効果】
以上述べたように、本発明によれば、２層構成の反射防止膜によってもレンズの反射防止効果を改善することができ、特にプロジェクションテレビ用投射レンズに配されたレンズエレメントにレンズエレメントに上記に説明した２層構成の多層反射防止膜を施すことで、レンズエレメント全面での反射を最小限とする効果がある。またレンズエレメントから蛍光面にもどる光線も軽減されることからこれを用いた投射レンズを搭載したプロジェクションテレビにおいてもコントラスト性能向上の効果がある。
【００８２】
さらにまた２種類の物質（例えばSiOとMgF2）による２層構成のため、信頼性が高く、低コストで実現できる効果がある。
【図面の簡単な説明】
【図１】本発明を用いた一実施例の投写光学系と光線経路を示す断面図
【図２】本発明を用いた投射光学系における別の光線経路を示す断面図
【図３】蛍光面の中心の輝点からレンズエレメントに至る光線追跡図
【図４】蛍光面の中心の輝点以外からレンズエレメント１に至る光線追跡図の第一例
【図５】蛍光面の中心の輝点以外からレンズエレメント１に至る光線追跡図の第二例
【図６】蛍光面の中心の輝点以外からレンズエレメント１に至る光線追跡図の第三例
【図７】緑用蛍光体の発光スペクトル分布
【図８】赤用蛍光体の発光スペクトル分布
【図９】赤に対応したＶコート反射防止膜の一実施例の特性図
【図１０】緑に対応したＶコート反射防止膜の一実施例の特性図
【図１１】赤に対応したUコート反射防止膜の一実施例の特性図
【図１２】緑に対応したUコート反射防止膜の一実施例の特性図
【図１３】緑の場合の膜構成数における反射率特性図
【図１４】緑の場合の膜厚に対するコントラストの関係図
【図１５】コントラストの評価パターン図
【図１６】レンズエレメントに２層の反射防止膜を設けた構成図
【図１７】反射防止効果の入射角度依存性を示すグラフ
【符号の説明】
１…投写管、２…蛍光面、３…フェイスパネル、４…冷媒、
５…ブラケット、６…押え金具、７…内鏡筒
８…外鏡筒、９…レンズエレメント、１０…レンズエレメント
１１…レンズエレメント、１２…レンズエレメント、
１３…レンズエレメント、１４…レンズエレメント、
Ｐ０、Ｐ１、Ｐ２、Ｐ３、Ｐ４…輝点
RAY１１、RAY７、RAY１３、RAY１９…上限光、
RAY２、RAY８、RAY１４、RAY２０…下限光、
ＬＬ‘…光軸
RAY３、RAY３‘、RAY５、RAY４、RAY４’RAY６、
RAY９、RAY９‘、RAY１１、RAY１０、RAY１０‘、RAY1１２、
RAY1１５、RAY１５’、RAY１７、RAY１６、RAY１６‘、RAY１８、
RAY２１、RAY２２…光線経路、２３…入射角度θ、
２４…第１層目の反射防止膜、２５…第２層目の反射防止膜、
２６…垂直入射の光線、２７…入射角度θの光線、
２８…第１層目の膜厚、２９…第２層目の膜厚
【図１】
0003793649.tif 000002
【図２】
0003793649.tif 000003
【図３】
0003793649.tif 000004
【図４】
0003793649.tif 000005
【図５】
0003793649.tif 000006
【図６】
0003793649.tif 000007
【図７】
0003793649.tif 000008
【図８】
0003793649.tif 000009
【図９】
0003793649.tif 000010
【図１０】
0003793649.tif 000011
【図１１】
0003793649.tif 000012
【図１２】
0003793649.tif 000013
【図１３】
0003793649.tif 000014
【図１４】
0003793649.tif 000015
【図１５】
0003793649.tif 000016
【図１６】
0003793649.tif 000017
【図１７】
0003793649.tif 000018